(57)【要約】【課題】尿臭等の悪臭を吸収する優れた消臭効果を有するとともに、取り扱い時等衝撃を加えてもほこり等が放散し難い使い易い排泄物処理材を提供する。【解決手段】１００メッシュの乾燥竹に粉状の活性炭を５重量％，２００メッシュのベントナイトを１８重量％を混合し、所要量加水後混練して造粒して内層２となる粒状物を得る。その後、乾燥処理した所定メッシュの緑茶を５重量％，２００メッシュのベントナイトを１８重量％，木繊維を３重量％，固化剤となるポリマーを１重量％を混合し、同混合物を前記内層２の外周に配置して再び造粒し、乾燥処理して篩機にかけて外層１と内層２の二層構造を有する所定粒径の処理材Ｓを得る。【選択図】          図１
2004201520.tif 000002
【特許請求の範囲】
【請求項１】
乾燥竹材を粉砕した竹粉砕片とベントナイトを主原料として造粒した動物用排泄物処理材。
【請求項２】
乾燥竹材を粉砕した竹粉砕片と粉状のベントナイトと粉状の活性炭とを混合して造粒し、同造粒した粒状物の外側に粉状のベントナイトと粉状の緑茶と天然繊維と固化剤とを混練した混合物でもって被覆し、外部と内部とを異なる成分で二重構造にした動物用排泄物処理材。
【発明の詳細な説明】
【０００１】
【発明の属する技術分野】
本発明は、猫等の愛玩動物の排泄物を吸収・固化して廃棄できるようにする動物用排泄物処理材に関し、詳しくは尿臭等の悪臭を吸収する消臭効果を優れたものにするとともに取り扱い時にほこりが出ないようにする技術に関する。
【０００２】
【従来の技術】
従来の動物用排泄物処理材としては、特許第２９４７６１５号公報に開示されたものがある。この処理材は木粉を主成分とし、これに粉状のベントナイト，高吸水性樹脂，粉状のバインダーを所定割合で混合して造粒した粒状物で、可燃性であるから焼却処理が可能で、１回の排泄で互いの粒子が付着して生じる塊に消費される量が少ないという効果を奏するものである。
【０００３】
ところで、このような処理材はベントナイトが排泄物を吸収した部分で濡れることにより相互に付着して塊を形成し、この塊を排泄の都度廃棄して使用するものであるが、消臭効果が不十分で廃棄されるまで尿臭等の悪臭が発生する問題があった。
【０００４】
また、吸収性を確保するために粒状物表面に多数の空隙を有した木粉を主成分とするものであるから、取り扱い時や動物がその上を歩く時の衝撃でこの空隙から細かい木粉等のほこり状物が出て舞い、人体や動物に直接的な悪影響は無いものの好ましいものではなかった。
【０００５】
【発明が解決しようとする課題】
本発明が解決しようとする課題は、従来のこれらの問題点を解消し、尿臭等の悪臭を吸収する優れた消臭効果を有するとともに、取り扱い時等衝撃を加えてもほこり等が放散し難い使い易い動物用排泄物処理材を提供することにある。
【０００６】
【課題を解決するための手段】
かかる課題を解決した本発明の構成は、
１）  乾燥竹材を粉砕した竹粉砕片とベントナイトを主原料として造粒した動物用排泄物処理材
２）  乾燥竹材を粉砕した竹粉砕片と粉状のベントナイトと粉状の活性炭とを混合して造粒し、同造粒した粒状物の外側に粉状のベントナイトと粉状の緑茶と天然繊維と固化剤とを混練した混合物でもって被覆し、外部と内部とを異なる成分で二重構造にした動物用排泄物処理材
にある。
【０００７】
【作用】
本発明によれば、消臭効果に優れる竹材や緑茶，活性炭を混合したから、動物の排泄物の悪臭消臭能力が極めて優れたものとなる。また、ほこりが放散する要因である天然繊維を粒状物内に封止するように外側と内側とが異なる成分で造粒したから、取り扱い時等の衝撃を加えてもほこり状物は発生せず、しかも排泄物の吸収能力は低下することがない。
【０００８】
【発明の実施の形態】
本発明に用いられる竹材は、肉類，寿司などの保存包材として使用されてきたように優れた抗菌作用だけでなく強力な消臭作用があり、また森林は一度伐採すると６０年間は再利用できないが竹は木材と比較して３〜４年と成長スピードが速く、計画的に育林すれば無尽蔵な天然素材である。この竹材を所要時間乾燥処理して１００メッシュ程度に粉砕したものを１０〜６０重量％使用する。１０重量％以下だと消臭効果が不十分となり、６０重量％以上では固まりが悪く、ほこりが立ち易くなる。
【０００９】
緑茶は茶の若葉を蒸してもみ乾燥させたもので、茶でうがいをすると風邪をひきにくいといわれるように緑茶に含まれるカテキンには優れた抗菌効果があり、しかもアンモニアなどの嫌な臭いに対して細菌の増殖を抑制して悪臭を抑える作用がある。また、使用後の茶殻もある程度効果がある。これを３〜１０重量％混入する。
【００１０】
活性炭には微細な穴が網の目状に張りめぐらされ、その表面積は５００〜１０００ｍ2／ｇ ともいわれ、様々な悪臭を吸着させ抑制する効果がある。これを３〜１０重量％混入する。
【００１１】
【実施例】
以下、本発明の実施例を図面に基づいて具体的に説明する。図１に示す実施例は猫砂に本発明を適用して効果を確認した例である。図１は実施例の動物用排泄物処理材の断面図である。図中、１は外層、２は内層、Ｓは処理材（猫砂）である。
【００１２】
本実施例では、まず青竹を所定時間乾燥処理した後、粉砕機で粉砕して篩機にかけ１００メッシュの竹粉を得る。次いでこの竹粉に粉状の活性炭を５重量％，２００メッシュのベントナイトを１８重量％を混合し、所要量加水後混練して造粒して内層２となる粒状物を得る。
【００１３】
その後、乾燥処理して粉砕した所定メッシュの緑茶を５重量％，２００メッシュのベントナイトを１８重量％，木繊維を３重量％，固化剤となるポリマーを１重量％を混合し、同混合物を前記内層２の外側に配置して再び造粒し、乾燥処理して篩機にかけて図１に示す外層１と内層２の二層構造を有する粒径２〜６ｍｍの処理材Ｓを得る。
【００１４】
得た処理材Ｓは嵩比重０．４９，抗圧強度４００ｇ，結玉重量４２ｇ，燃焼比６０％，ｐＨ７であった。この処理材Ｓの消臭効果を確認すべく官能試験を行った。試料を表１に示す。なお、前記製法で製造した処理材ＳはＮｏ．４に該当する。
【００１５】
【表１】
2004201520.tif 000003
【００１６】
これらの各試料を縦２５ｃｍ，横４０ｃｍ，高さ１５ｃｍの容器内に高さ６ｃｍまで入れて室温２５℃中で約１％のアンモニア入り生理食塩水を２０ｍｌそれぞれ注入し、１０名の被験者が各試料の入った容器内の放散臭について得点式により評価した。結果を表２に示す。
【００１７】
【表２】
2004201520.tif 000004
【００１８】
この結果から、竹材を混合した試料が臭いが少なく消臭能力が高いことがわかる。特に緑茶や活性炭を同時に混合したＮｏ．４の試料がほとんど臭いが気にならないとしており、消臭効果が顕著である。また、Ｎｏ．４以外は単層の製品であり、取り扱い時に木粉等のほこり状物が多少舞うことがあったが、Ｎｏ．４の二層構造の試料からは出ることはなかった。なお、竹７０重量％＋ベントナイト３０重量％の配合条件での製造も試みたが固まりが悪く、ほこりが立ち易かった。
【００１９】
【発明の効果】
以上説明したように、本発明によれば消臭効果に優れる竹材や緑茶，活性炭を混合したから、動物の排泄物の悪臭消臭能力が極めて優れたものとなる。また、ほこりが放散する要因である天然繊維を粒状物内に封止するように外側と内側とが異なる成分で構成したから、取り扱い時等の衝撃を加えてもほこり状物は発生せず、しかも排泄物の吸収能力は低下することがない。さらに、竹材等天然素材を主原料としたから、焼却処理が容易で焼却時に有害物質もほとんど出ないものである。このように、尿臭等の悪臭を吸収する優れた消臭効果を有するとともに、取り扱い時等衝撃を加えてもほこり等が放散し難い取扱者にとっても動物にとっても使い易い動物用排泄物処理材を提供できる。
【図面の簡単な説明】
【図１】実施例の動物用排泄物処理材の断面図である。
【符号の説明】
１  外層
２  内層
Ｓ  処理材（猫砂）
【図１】
2004201520.tif 000005